(57)【要約】【課題】手指に筋力低下や麻痺等の機能障害があるため、自力で筆記具や補助具を把持することが困難な場合でも、容易に装着して安定した運筆を可能にするとともに、筆記感覚が自然で、かつ小型軽量で携帯可能な筆記補助具を提供する。【解決手段】手指の示指と中指とに装着する基体１と、突き当て部５と、ペンホルダー部６とからなる筆記補助具であって、前記基体１が、示指と中指とのＭＰ関節の背面近傍に接する第一支持部２と、ＰＩＰ関節の掌面に接する関節支持部３と、ＤＩＰ関節の背面近傍に接する第二支持部４とを備え、また前記突き当て部５の先端が装着時に示指と中指との先端より突出しているようにし、また前記ペンホルダー部６が筆記具装着時に筆記具の先端方向と示指の先端方向とが略交差するように配置する。【選択図】図１
2016168742.tif 000002
【特許請求の範囲】
【請求項１】
手指の示指と中指とに装着する基体と、前記手指の先端方向に前記基体から延設された突き当て部と、筆記具を装着するペンホルダー部とからなる筆記補助具であって、前記基体が示指と中指とのＭＰ関節の背面近傍に接する第一支持部と、前記示指と前記中指とのＰＩＰ関節の掌面に接する関節支持部と、前記示指と中指とのＤＩＰ関節の背面近傍に接する第二支持部とを備えることを特徴とする筆記補助具。
【請求項２】
前記突き当て部の先端が手指装着時に示指と中指との先端より突出していることを特徴とする請求項１に記載の筆記補助具。
【請求項３】
前記ペンホルダー部が筆記具装着時に筆記具の先端方向と示指の先端方向とが略交差するように配置していることを特徴とする請求項１〜２に記載の筆記補助具。
【発明の詳細な説明】
【技術分野】
【０００１】
本発明は、手指の筋力低下や機能障害を伴う人が、鉛筆・ボールペン等の筆記具を用いて、安定した運筆を行うことを補助する筆記補助具に関するものである。
【背景技術】
【０００２】
今日、パソコン、スマートホン、ＡＴＭ等の情報端末を使用した入力が日常生活の多くの場面で見られる一方、手紙、日記、申請書類等への手書きによる入力が必要な場面も多々ある。しかし手書きは手指の筋力低下や機能障害を伴う人々には大きな負担となるもので、日常生活の質（ＱＯＬ）に係る重要な要素である。従って、このような障害を持つ人々の手書きを可能にする筆記補助具がＱＯＬ向上のために様々に提案されている。
【０００３】
特許文献１には、手指の把持力が低い場合の筆記補助具として、筆記具に直接ベルト状の固定具を付け、この固定具に掌や指を通して筆記具を把持し運筆を補助するものが開示されている。この方法は細い筆記具を自力で握ることが求められるが、筆記具を直接把持するため運筆感覚が自然で、軽量で安価なものとなる。しかし筆記具を手指に固定するのに手間がかかることや、筆記具を直接自力で握る必要があるため握力が弱く把持が難しい場合には安定した運筆ができないという欠点がある。
【０００４】
特許文献２には、全体として拳銃に似た形状の筆記補助具が開示されている。この方法では筆記具を拳銃の銃身にあたるペンホルダー部に収め、グリップ部に相当する太い握り手を把持することにより、細い筆記具を自力で把持することなく運筆が可能となる。しかし筆記具より重い補助具を自力で把持する必要があるため、手指の握力が弱くグリップの把持が難しい場合には運筆が不安定となり使用できない欠点がある。また拳銃を握るように手指を曲げてグリップ部の握り手を握る必要があるため、通常の筆記感覚とは異質なものとなる。
【０００５】
特許文献３には、筆記具を装着するペンホルダー部と、ペンホルダー部と連結した台車部（スライド手段）とからなり、ペンホルダー部を握り手として把持する筆記補助具が開示されている。この補助具ではペンホルダー部の握り手が太いため、細い筆記具を直接把持する必要はなく、また回転球体を底部に備えた台車により安定した運筆が可能になる。さらに足指を使用した筆記が可能となる点も優れている。しかし、機能障害等のため握り手を自力で把持する力が弱い場合には安定した使用が困難になるという欠点がある。また補助具の使用形態が自然な筆記感覚とは異質なものになっていることや、形状が嵩張り携帯には不向きであるという欠点がある。
【先行技術文献】
【特許文献】
【０００６】
【特許文献１】特開２００２−３６２０９１号公報
【特許文献２】特開２００９−８３３５９号公報
【特許文献３】特開２０１０−８３０７６号公報
【発明の概要】
【発明が解決しようとする課題】
【０００７】
解決しようとする問題点は、手指に筋力低下や麻痺等の機能障害がある場合に使用する筆記補助具は、筆記具や補助具を自力で把持する必要があり、直接把持できない場合は使用が困難となる点である。また安定した運筆を可能にするものは把持力を必要とすると共に、運筆時の操作感覚が自然な筆記感覚とは異質なものとなる点であり、補助具自体が嵩張る点である。
【課題を解決するための手段】
【０００８】
本発明による筆記補助具は、手指の示指と中指とに装着する基体と、前記手指の先端方向に前記基体から延設された突き当て部と、筆記具を装着するペンホルダー部とからなる筆記補助具であって、前記基体が示指と中指とのＭＰ関節の背面近傍に接する第一支持部と、同じ指のＰＩＰ関節の掌面に接する関節支持部と、同じ指のＤＩＰ関節の背面近傍に接する第二支持部とを備え、また前記突き当て部の先端が手指装着時に示指と中指との先端より突出し、また前記ペンホルダー部が筆記具装着時に筆記具の先端方向と示指の先端方向とが略交差するように配置されている。
【発明の効果】
【０００９】
本発明の筆記補助具によれば、基体に設けた３つの支持部により示指と中指とが補助具と固定されるため、手指に筋力低下や機能障害等があり直接補助具を把持できない場合にも身体的負担を与えることなく補助具を使用することが可能となる。また手指の先端より突出した突き当て部により安定した筆記が可能になるとともに、ペンホルダー部を特定の配置にすることにより運筆時の筆記感覚が自然になる。また補助具自体の体積を小さくすることが可能であるため、小型で携帯し易くなる。
【図面の簡単な説明】
【００１０】
【図１】図１は本発明による筆記補助具の一例である。Ａは斜視図、Ｂは平面図、Ｃは側面図である。
【図２】図２は本発明による筆記補助具の一例を指に装着している状態を示した説明図である。Ａは斜め上方から、Ｂは斜め下方から見た図である。
【図３】図３のＡは本発明による筆記補助具の一例を指に装着し運筆する様子を示した説明図である。図３のＢは本発明による別の実施例を説明する斜視図である。
【発明を実施するための形態】
【００１１】
本発明は、手指に筋力低下や麻痺等の機能障害のある人が筆記具を用いて手書きするための筆記補助具に関し、示指と中指との二本の指に補助具を固定できるように特定の支持部を設けて、手指の把持力が極めて低い場合にも身体的負担を与えることなく補助具を簡単に装着し使用できるようにし、手指の先端より突出た突き当て部により安定した運筆を可能にし、ペンホルダー部を特定の配置にすることで自然な筆記感覚を実現し、また小型で携帯し易くなるようにした。以下、実施例を挙げ図面を参照して説明する。
【実施例１】
【００１２】
図１は本発明による筆記補助具の１実施例で、Ａは斜視図、Ｂは平面図、Ｃは側面図である。１は基体、２は第一支持部、３は関節支持部、４は第二支持部、５は突き当て部、６はペンホルダー部である。
【００１３】
基体１は手指に接して装着される補助具の装着用フレームで、材料としては運筆時の応力に耐える程度の強度を保持し、軽量であれば特に限定されない。樹脂、金属、ゴム、紙、セラミック等が使用可能である。基体１の外形は、指に装着し筆記操作を行うことを可能にするものであれば特に限定されない。
【００１４】
第一支持部２、関節支持部３、第二支持部４は本発明の重要な構成要素で基体１の一部を成すものであり、筋力低下や麻痺等の機能障害のある手指に負担を掛けずに基体１を装着し、示指と中指との二本の指と補助具とを固定するためのものである。筋力低下や機能障害がある場合、指は各関節（ＭＰ関節、ＰＩＰ関節、ＤＩＰ関節）で各々内側に曲がり指全体が弧を描く状態になる。本発明は弧を描いた指の状態でも補助具を容易に装着し、固定し、安定して自然な筆記操作ができるようにするためになされたものである。
【００１５】
図２のＡおよびＢは本発明による筆記補助具の一例を示指と中指とに装着している状態を示した説明図である。Ａは斜め上方から、Ｂは斜め下方から見た説明図である。本発明は基体１が、筋力低下等により弧を描いた示指と中指とのＭＰ関節の背面近傍に接する第一支持部２と、同じ指のＰＩＰ関節の掌面に接する関節支持部３と、同じ指のＤＩＰ関節の背面近傍に接する第二支持部４とを備えるようにした。本発明による第一支持部２と関節支持部３との間隔および関節支持部３と第二支持部４との間隔は、共に各指の幅や厚みより大きく、各支持部（２，３，４）からなる基体１はスムーズに手指に装着・固定が可能である。また把持力が極めて低くても補助具自体を指に固定するために、自力で補助具を把持する必要がなく指への負担が少ない。各支持部（２，３，４）の材料は基体１と同様で特に限定されない。樹脂、金属、ゴム、紙、セラミック等が使用できる。第一支持部２と第二支持部４との外形は特に限定されないが、第一支持部２は示指と中指とのＭＰ関節の背面近傍に共に接するように配置し、第二支持部４は示指と中指とのＤＩＰ関節の背面近傍に共に接するように配置するのが好ましい。また関節支持部３は示指と中指とのＰＩＰ関節の掌面形状に沿った形状および配置とすることが好ましい。このように各支持部（２，３，４）を基体１に配備することにより、補助具と手指との固定が安定し、自力で把持することなく安定した運筆が可能となる。
【００１６】
突き当て部５は本発明の重要な構成要素であり、手指の先端方向に基体１から延設されたもので、突き当て部５の先端を運筆時に筆記面に突き当ててスライドさせるものである。突き当て部５の形状は延設方向へ先端が絞られたもので、突き当て部５の先端は筆記面との接触面積が小さく、摩擦抵抗の小さいものが好ましい。これは運筆時に突き当て部５の先端が筆記面に接して、筆記面と手指との距離を安定的に維持し、把持力が弱くても自由な筆記操作を可能とするためである。突き当て部５の材料としては、剛性のあるものであれば特に限定されない。樹脂、金属、ゴム、紙、セラミック等が使用できる。また基体１に突き当て部５を延設する場合、図１、図２に例示するような基体１と一体化した形状である必要はない。突き当て部５が独立部材として基体１に接合している形状等も可能である。
【００１７】
突き当て部５の先端は筆記面に接して自由に移動できるように、手指装着時に示指と中指との先端より突出していることが好ましい。こうすると運筆時に突出した突き当て部５の先端を支点として手首を極めて僅かに回転することにより、ペンホルダー部に装着した筆記具の先端を上下して運筆することが可能になる。従って運筆時の手の負荷は大幅に低減し、自力で把持できない場合でも安定して筆記操作ができるようになる。
【００１８】
ペンホルダー６は筆記用具を装着する部分である。ペンホルダー６の材料は基体１、突き当て部５と同様で特に限定されない。樹脂、金属、ゴム、紙、セラミック等が使用可能である。ペンホルダー部６は、図１〜図３に例示するような形状である必要はない。軽量で筆記具を装着し易いものであれば、限定されない。またペンホルダー部６は独立部品として基体１に別途装着するものでも良い。
【００１９】
ペンホルダー部６は筆記用具を装着した際、筆記具の先端（ペン先）方向と示指の先端方向とが略交差するように配置することが好ましい（図２のＢの矢印で示す）。これは通常の筆記操作では、示指の先端方向とペン先方向とが略交差しているのが自然であるため、補助具を使用する場合でも示指の先端方向とペン先方向とが略交差する配置をとることにより、より自然な筆記感覚が得られるためである。
【００２０】
図３のＡは本発明による筆記補助具の一例を示指および中指に装着し運筆する様子を示した説明図である。運筆は、示指と中指との先端より突出した突き当て部５の先端を、筆記面に突き当ててスライドするとともに、突き当て部５の先端を支点として、手首を僅かに回転して筆記具先端を上下することにより行う。運筆時に補助具を握るための把持力は必要なく、また手首の水平移動と僅かな回転により自由で安定した運筆が可能となる。また本発明によると補助具の構造が簡単になり、構成部材が少なく小型軽量で携帯可能な筆記補助具になる。
【実施例２】
【００２１】
図３のＢに本発明による筆記補助具の別の例を示す。実施例１と同様に基体１と、弧を描いた示指と中指とのＭＰ関節の背面近傍に接する第一支持部２と、同じ指のＰＩＰ関節の掌面に接する関節支持部３と、同じ指のＤＩＰ関節の背面近傍に接する第二支持部４と、安定した運筆を可能にする先端が絞られた突き当て部５と、筆記具を装着するペンペンホルダー部６とからなる様子を示している。突き当て部５およびペンホルダー６は基体１と個別に接合されたものである。
【００２２】
実施例１と同様に、本発明による第一支持部２と関節支持部３との間隔および関節支持部３と第二支持部４との間隔は、共に各指の幅や厚みより大きく、３つの支持部（２，３，４）を有する基体１はスムーズに指に装着、固定可能である。また先端を絞った形状の突き当て部５を有するため、手指に機能障害があり把持力が極めて低くても筆記操作が安定して良好である。またペンホルダー部６が筆記具の先端方向と示指の先端方向とが略交差するように配置しているため、運筆感覚が自然である。また小型軽量であるため携帯可能である。
【産業上の利用可能性】
【００２３】
本発明によると手指に筋力低下や麻痺等の機能障害を伴う人が、筆記具や補助具を自力で把持できない場合でも、簡単に手指に装着して、安定した自然な運筆が可能となり、小型軽量で携帯可能であるため、あらゆる場面で使用が可能である筆記補助具となる。
【符号の説明】
【００２４】
１    基体
２    第一支持部
３    関節支持部
４    第二支持部
５    突き当て部
６    ペンホルダー部
【図１】
2016168742.tif 000003
【図２】
2016168742.tif 000004
【図３】
2016168742.tif 000005